【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  与えられたメルトインデックス及び密度で、低下した溶融ピーク温度（Ｔm ）を有するエチレン／オレフィン共重合体を製造する、エチレンと少なくとも１種又は２種以上の他のオレフィンとの重合方法であって、重合媒体中で、エチレン及び少なくとも１種又は２種以上の他のオレフィン、少なくとも１種の遷移金属からなる成分及び少なくとも１種の有機金属化合物からなる助触媒を含む少なくとも１種のチーグラー−ナッタ触媒並びにエチレン／オレフィン共重合体の溶融ピーク温度（Ｔm ）を、変性剤の不存在下で同じ重合方法で得られるものよりも低いレベルまで低下させるのに十分な量の、元素の周期表の第１５族及び第１６族から選択される少なくとも１種の原子を含む少なくとも１種の変性剤を接触させることを含んでなる重合方法。
【請求項２】  少なくとも１種の遷移金属が本明細書で定義されたような元素の周期表の第４族、第５族、第６族、第７族、第８族、第９族及び第１０族から選択される請求項１に記載の方法。
【請求項３】  金属がチタン、ジルコニウム、バナジウム、鉄、クロム、ニッケル及びこれらの混合物からなる群から選択される請求項２に記載の方法。
【請求項４】  金属がチタン、ジルコニウム、バナジウム及びこれらの混合物からなる群から選択される請求項３に記載の方法。
【請求項５】  少なくとも１種の助触媒化合物が、式：
ＸnＥＲ3-n
（式中、Ｘは水素、フッ素、塩素、臭素及びヨウ素から選択されるハロゲン又はハロゲンの混合物であり、ｎは０〜２の範囲内であり、Ｅは元素の周期表の第１３族からの元素であり、そして、Ｒは炭素又は酸素結合により第１３族元素に結合される、１〜１００個の炭素原子及び０〜１０個の酸素原子を含む炭化水素基である）
を有する有機金属化合物又はこれらの混合物である請求項１に記載の方法。
【請求項６】  有機金属助触媒化合物がトリアルキルアルミニウム、ハロゲン化ジアルキルアルミニウム及びアルキルアルミニウムセスキハライドからなる群から選択される請求項５に記載の方法。
【請求項７】  トリアルキルアルミニウムがトリメチルアルミニウム、トリエチルアルミニウム、トリ−ｎ−プロピルアルミニウム、トリ−ｎ−ブチルアルミニウム、トリイソブチルアルミニウム、トリ−ｎ−ヘキシルアルミニウム、トリイソヘキシルアルミニウム、トリ−２−メチルペンチルアルミニウム及びトリ−ｎ−オクチルアルミニウムからなる群から選択され、ハロゲン化ジアルキルアルミニウムが塩化ジメチルアルミニウム、塩化ジエチルアルミニウム、塩化ジブチルアルミニウム及び塩化ジイソブチルアルミニウムからなる群から選択され、そしてアルキルアルミニウムセスキハライドがメチルアルミニウムセスキクロリド、エチルアルミニウムセスキクロリド、ｎ−ブチルアルミニウムセスキクロリド及びイソブチルアルミニウムセスキクロリドからなる群から選択される請求項６に記載の方法。
【請求項８】  トリアルキルアルミニウムがトリメチルアルミニウム及びトリエチルアルミニウムからなる群から選択される請求項７に記載の方法。
【請求項９】  チーグラー−ナッタ触媒が担体上に担持されている請求項１に記載の方法。
【請求項１０】  担体がシリカ、アルミナ、塩化マグネシウム及びこれらの混合物からなる群から選択される請求項９に記載の方法。
【請求項１１】  ハロゲン化炭化水素を重合媒体に更に添加することを含んでなる請求項１に記載の方法。
【請求項１２】  ハロゲン化炭化水素がジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選択される請求項１１に記載の方法。
【請求項１３】  ハロゲン化炭化水素がクロロホルムである請求項１２に記載の方法。
【請求項１４】  少なくとも１種の変性剤がカルボン酸エステル、無水物、酸ハライド、エーテル、チオエーテル、アルデヒド、ケトン、イミン、アミン、アミド、ニトリル、イソニトリル、シアナート、イソシアナート、チオシアナート、イソチオシアナート、チオエステル、ジチオエステル、炭酸エステル、ヒドロカルビルカルバメート、ヒドロカルビルチオカルバメート、ヒドロカルビルジチオカルバメート、ウレタン、スルホキシド、スルホン、スルホンアミド、少なくとも１個の酸素原子を含有する有機ケイ素化合物、炭素又は酸素原子を介して有機基に結合された窒素、リン、ヒ素又はアンチモンの化合物、Ｏ2 、ＣＯ、ＣＯ2 、ＣＯＳ、ＮＯ、Ｎ2Ｏ及びＮＯ2からなる群から選択される請求項１に記載の方法。
【請求項１５】  少なくとも１種の変性剤がカルボン酸エステル、エーテル、アミン、アミド、ニトリル、少なくとも１個の酸素原子を含有する有機ケイ素化合物、Ｏ2 、ＣＯ、ＣＯ2及びＮ2Ｏからなる群から選択される請求項１４に記載の方法。
【請求項１６】  少なくとも１種の変性剤がテトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド、１，２−ジメトキシエタン、１，２−ジメトキシプロパン、１，３−ジメトキシプロパン、１，２−ジメトキシブタン、１，３−ジメトキシブタン、１，４−ジメトキシブタン及びテトラヒドロピランからなる群から選択されるエーテルである請求項１５に記載の方法。
【請求項１７】  少なくとも１種の変性剤がピリジン、４−メチルピリジン、Ｎ−メチルモルホリン及びＮ−メチルイミダゾールからなる群から選択されたアミンである請求項１５に記載の方法。
【請求項１８】  少なくとも１種の変性剤がシクロヘキシルメチルジメトキシシラン、オルトケイ酸テトラエチル及びジシクロペンチルジメトキシシランからなる群から選択される、少なくとも１個の酸素原子を含む有機ケイ素化合物である請求項１５に記載の方法。
【請求項１９】  少なくとも１種の変性剤がアセトニトリル、トリメチルアセトニトリル、ベンゾニトリル及びイソプロピオニトリルからなる群から選択されるニトリルである請求項１５に記載の方法。
【請求項２０】  少なくとも１種の変性剤がＮ，Ｎ−ジメチルホルムアミド、Ｎ，Ｎ−ジメチルアセトアミド及びＮ，Ｎ−ジイソプロピルホルムアミドからなる群から選択されるアミドである請求項１５に記載の方法。
【請求項２１】  少なくとも１種の変性剤がＯ2 、ＣＯ、ＣＯ2及びＮ2Ｏからなる群から選択される請求項１５に記載の方法。
【請求項２２】  少なくとも１種の変性剤がＮ2Ｏ である請求項２１に記載の方法。
【請求項２３】  少なくとも１種の変性剤が液体又は固体であり、これを０．０１：１〜１００：１の範囲内の、変性剤のチーグラー−ナッタ触媒の遷移金属成分に対するモル比で添加する請求項１に記載の方法。
【請求項２４】  変性剤のチーグラー−ナッタ触媒の遷移金属成分に対するモル比が０．１：１〜５０：１の範囲内である請求項２３に記載の方法。
【請求項２５】  少なくとも１種の変性剤が気体状であり、これを１体積ppm 〜１０，０００体積ppm の範囲内の量で添加する請求項１に記載の方法。
【請求項２６】  少なくとも１種の変性剤を１体積ppm 〜１０００体積ppm の範囲内の量で添加する請求項２５に記載の方法。
【請求項２７】  重合媒体が気相である、請求項１に記載の方法。
【請求項２８】  重合媒体がスラリー相である請求項１に記載の方法。
【請求項２９】  少なくとも１種又は２種以上の他のオレフィンが、炭素数３〜１６のオレフィンからなる群から選択される請求項１に記載の方法。
【請求項３０】  少なくとも１種又は２種以上の他のオレフィンが、１−オクテン、１−ヘキセン、４−メチルペント−１−エン、１−ペンテン、１−ブテン及びプロピレンからなる群から選択される請求項２９に記載の方法。
【請求項３１】  エチレン／オレフィン共重合体が共重合体の少なくとも５０重量％の量のエチレンを含む、請求項１に記載の方法。
【請求項３２】  請求項１に記載の方法によって製造されるエチレン／オレフィン共重合体生成物。
【請求項３３】  請求項１に記載の方法により製造されるエチレン／オレフィン共重合体からの二次加工フィルム。
【請求項３４】  請求項１に記載の方法により製造されるエチレン／オレフィン共重合体からの二次加工物品。
【手続補正２】
【補正対象書類名】明細書
【補正対象項目名】０１０９
【補正方法】変更
【補正の内容】
【０１０９】
本明細書に記載した本発明の形は、例示のみであり、本発明の範囲を限定することを意図しないことが、明らかに理解されるべきである。本発明には、特許請求の範囲内に入る全ての修正が含まれる。
以下、本発明の態様を列挙する。
態様１．与えられたメルトインデックス及び密度で、低下した溶融ピーク温度（Ｔm ）を有するエチレン／オレフィン共重合体を製造する、エチレンと少なくとも１種又は２種以上の他のオレフィンとの重合方法であって、重合媒体中で、エチレン及び少なくとも１種又は２種以上の他のオレフィン、少なくとも１種の遷移金属からなる成分及び少なくとも１種の有機金属化合物からなる助触媒を含む少なくとも１種のチーグラー−ナッタ触媒並びにエチレン／オレフィン共重合体の溶融ピーク温度（Ｔm ）を、変性剤の不存在下で同じ重合方法で得られるものよりも低いレベルまで低下させるのに十分な量の、元素の周期表の第１５族及び第１６族から選択される少なくとも１種の原子を含む少なくとも１種の変性剤を接触させることを含んでなる重合方法。
態様２．少なくとも１種の遷移金属が本明細書で定義されたような元素の周期表の第４族、第５族、第６族、第７族、第８族、第９族及び第１０族から選択される態様１に記載の方法。
態様３．金属がチタン、ジルコニウム、バナジウム、鉄、クロム、ニッケル及びこれらの混合物からなる群から選択される態様２に記載の方法。
態様４．金属がチタン、ジルコニウム、バナジウム及びこれらの混合物からなる群から選択される態様３に記載の方法。
態様５．少なくとも１種の助触媒化合物が、式：
ＸnＥＲ3-n
（式中、Ｘは水素、フッ素、塩素、臭素及びヨウ素から選択されるハロゲン又はハロゲンの混合物であり、ｎは０〜２の範囲内であり、Ｅは元素の周期表の第１３族からの元素であり、そして、Ｒは炭素又は酸素結合により第１３族元素に結合される、１〜１００個の炭素原子及び０〜１０個の酸素原子を含む炭化水素基である）
を有する有機金属化合物又はこれらの混合物である態様１に記載の方法。
態様６．有機金属助触媒化合物がトリアルキルアルミニウム、ハロゲン化ジアルキルアルミニウム及びアルキルアルミニウムセスキハライドからなる群から選択される態様５に記載の方法。
態様７．トリアルキルアルミニウムがトリメチルアルミニウム、トリエチルアルミニウム、トリ−ｎ−プロピルアルミニウム、トリ−ｎ−ブチルアルミニウム、トリイソブチルアルミニウム、トリ−ｎ−ヘキシルアルミニウム、トリイソヘキシルアルミニウム、トリ−２−メチルペンチルアルミニウム及びトリ−ｎ−オクチルアルミニウムからなる群から選択され、ハロゲン化ジアルキルアルミニウムが塩化ジメチルアルミニウム、塩化ジエチルアルミニウム、塩化ジブチルアルミニウム及び塩化ジイソブチルアルミニウムからなる群から選択され、そしてアルキルアルミニウムセスキハライドがメチルアルミニウムセスキクロリド、エチルアルミニウムセスキクロリド、ｎ−ブチルアルミニウムセスキクロリド及びイソブチルアルミニウムセスキクロリドからなる群から選択される態様６に記載の方法。
態様８．トリアルキルアルミニウムがトリメチルアルミニウム及びトリエチルアルミニウムからなる群から選択される態様７に記載の方法。
態様９．チーグラー−ナッタ触媒が担体上に担持されている態様１に記載の方法。
態様１０．担体がシリカ、アルミナ、塩化マグネシウム及びこれらの混合物からなる群から選択される態様９に記載の方法。
態様１１．ハロゲン化炭化水素を重合媒体に更に添加することを含んでなる態様１に記載の方法。
態様１２．ハロゲン化炭化水素がジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選択される態様１１に記載の方法。
態様１３．ハロゲン化炭化水素がクロロホルムである態様１２に記載の方法。
態様１４．少なくとも１種の変性剤がカルボン酸エステル、無水物、酸ハライド、エーテル、チオエーテル、アルデヒド、ケトン、イミン、アミン、アミド、ニトリル、イソニトリル、シアナート、イソシアナート、チオシアナート、イソチオシアナート、チオエステル、ジチオエステル、炭酸エステル、ヒドロカルビルカルバメート、ヒドロカルビルチオカルバメート、ヒドロカルビルジチオカルバメート、ウレタン、スルホキシド、スルホン、スルホンアミド、少なくとも１個の酸素原子を含有する有機ケイ素化合物、炭素又は酸素原子を介して有機基に結合された窒素、リン、ヒ素又はアンチモンの化合物、Ｏ2 、ＣＯ、ＣＯ2 、ＣＯＳ、ＮＯ、Ｎ2Ｏ及びＮＯ2からなる群から選択される態様１に記載の方法。
態様１５．少なくとも１種の変性剤がカルボン酸エステル、エーテル、アミン、アミド、ニトリル、少なくとも１個の酸素原子を含有する有機ケイ素化合物、Ｏ2 、ＣＯ、ＣＯ2及びＮ2Ｏからなる群から選択される態様１４に記載の方法。
態様１６．少なくとも１種の変性剤がテトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド、１，２−ジメトキシエタン、１，２−ジメトキシプロパン、１，３−ジメトキシプロパン、１，２−ジメトキシブタン、１，３−ジメトキシブタン、１，４−ジメトキシブタン及びテトラヒドロピランからなる群から選択されるエーテルである態様１５に記載の方法。
態様１７．少なくとも１種の変性剤がピリジン、４−メチルピリジン、Ｎ−メチルモルホリン及びＮ−メチルイミダゾールからなる群から選択されたアミンである態様１５に記載の方法。
態様１８．少なくとも１種の変性剤がシクロヘキシルメチルジメトキシシラン、オルトケイ酸テトラエチル及びジシクロペンチルジメトキシシランからなる群から選択される、少なくとも１個の酸素原子を含む有機ケイ素化合物である態様１５に記載の方法。
態様１９．少なくとも１種の変性剤がアセトニトリル、トリメチルアセトニトリル、ベンゾニトリル及びイソプロピオニトリルからなる群から選択されるニトリルである態様１５に記載の方法。
態様２０．少なくとも１種の変性剤がＮ，Ｎ−ジメチルホルムアミド、Ｎ，Ｎ−ジメチルアセトアミド及びＮ，Ｎ−ジイソプロピルホルムアミドからなる群から選択されるアミドである態様１５に記載の方法。
態様２１．少なくとも１種の変性剤がＯ2 、ＣＯ、ＣＯ2及びＮ2Ｏからなる群から選択される態様１５に記載の方法。
態様２２．少なくとも１種の変性剤がＮ2Ｏ である態様２１に記載の方法。
態様２３．少なくとも１種の変性剤が液体又は固体であり、これを約０．０１：１〜約１００：１の範囲内の、変性剤のチーグラー−ナッタ触媒の遷移金属成分に対するモル比で添加する態様１に記載の方法。
態様２４．変性剤のチーグラー−ナッタ触媒の遷移金属成分に対するモル比が約０．１：１〜約５０：１の範囲内である態様２３に記載の方法。
態様２５．少なくとも１種の変性剤が気体状であり、これを約１体積ppm 〜約１０，０００体積ppm の範囲内の量で添加する態様１に記載の方法。
態様２６．少なくとも１種の変性剤を約１体積ppm 〜約１０００体積ppm の範囲内の量で添加する態様２５に記載の方法。
態様２７．重合媒体が気相である、態様１に記載の方法。
態様２８．重合媒体がスラリー相である態様１に記載の方法。
態様２９．少なくとも１種又は２種以上の他のオレフィンが、炭素数３〜１６のオレフィンからなる群から選択される態様１に記載の方法。
態様３０．少なくとも１種又は２種以上の他のオレフィンが、１−オクテン、１−ヘキセン、４−メチルペント−１−エン、１−ペンテン、１−ブテン及びプロピレンからなる群から選択される態様２９に記載の方法。
態様３１．エチレン／オレフィン共重合体が共重合体の少なくとも約５０重量％の量のエチレンを含む、態様１に記載の方法。
態様３２．与えられた密度及びメルトインデックス（ＭＩ）を有するエチレン／オレフィン共重合体の溶融ピーク温度（Ｔm ）の低下方法であって、元素の周期表の第１５族及び第１６族から選択される少なくとも１種の原子を含む少なくとも１種の変性剤を、エチレン及び少なくとも１種又は２種以上の他のオレフィン並びに少なくとも１種の遷移金属からなる成分及び少なくとも１種の有機金属化合物からなる助触媒を含む少なくとも１種のチーグラー−ナッタ触媒を含む重合プロセス中に、エチレン／オレフィン共重合体の溶融ピーク温度（Ｔm ）を低下させるのに十分な量で導入することを含んでなる方法。
態様３３．少なくとも１種の遷移金属が元素の周期表の第４族、第５族、第６族、第７族、第８族、第９族及び第１０族から選択される態様３２に記載の方法。
態様３４．金属がチタン、ジルコニウム、バナジウム、鉄、クロム、ニッケル及びこれらの混合物からなる群から選択される態様３３に記載の方法。
態様３５．金属がチタン、ジルコニウム、バナジウム及びこれらの混合物からなる群から選択される態様３４に記載の方法。
態様３６．少なくとも１種の助触媒化合物が式：
ＸnＥＲ3-n
（式中、Ｘは、水素、フッ素、塩素、臭素及びヨウ素から選択されるハロゲン又はハロゲンの混合物であり、ｎは０〜２の範囲内であり、Ｅは元素の周期表の第１３族からの元素であり、そして、Ｒは炭素又は酸素結合により第１３族元素に結合した、１〜１００個の炭素原子及び０〜１０個の酸素原子を含む炭化水素基である）
を有する有機金属化合物又はこれらの混合物である態様３２に記載の方法。
態様３７．有機金属助触媒化合物がトリアルキルアルミニウム、ハロゲン化ジアルキルアルミニウム及びアルキルアルミニウムセスキハライドからなる群から選択される態様３６に記載の方法。
態様３８．トリアルキルアルミニウムがトリメチルアルミニウム、トリエチルアルミニウム、トリ−ｎ−プロピルアルミニウム、トリ−ｎ−ブチルアルミニウム、トリイソブチルアルミニウム、トリ−ｎ−ヘキシルアルミニウム、トリイソヘキシルアルミニウム、トリ−２−メチルペンチルアルミニウム及びトリ−ｎ−オクチルアルミニウムからなる群から選択され、ハロゲン化ジアルキルアルミニウムが塩化ジメチルアルミニウム、塩化ジエチルアルミニウム、塩化ジブチルアルミニウム及び塩化ジイソブチルアルミニウムからなる群から選択され、そしてアルキルアルミニウムセスキハライドがエチルアルミニウムセスキクロリド、エチルアルミニウムセスキクロリド、ｎ−ブチルアルミニウムセスキクロリド及びイソブチルアルミニウムセスキクロリドからなる群から選択される態様３７に記載の方法。
態様３９．トリアルキルアルミニウムがトリメチルアルミニウム及びトリエチルアルミニウムからなる群から選択される態様３８に記載の方法。
態様４０．チーグラー−ナッタ触媒が担体上に担持されている態様３２に記載の方法。
態様４１．担体がシリカ、アルミナ、塩化マグネシウム及びこれらの混合物からなる群から選択される態様４０に記載の方法。
態様４２．ハロゲン化炭化水素を重合媒体に更に添加することを含んでなる態様３２に記載の方法。
態様４３．ハロゲン化炭化水素がジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選択される態様４２に記載の方法。
態様４４．ハロゲン化炭化水素がクロロホルムである態様４３に記載の方法。
態様４５．少なくとも１種の変性剤がカルボン酸エステル、無水物、酸ハライド、エーテル、チオエーテル、アルデヒド、ケトン、イミン、アミン、アミド、ニトリル、イソニトリル、シアナート、イソシアナート、チオシアナート、イソチオシアナート、チオエステル、ジチオエステル、炭酸エステル、ヒドロカルビルカルバメート、ヒドロカルビルチオカルバメート、ヒドロカルビルジチオカルバメート、ウレタン、スルホキシド、スルホン、スルホンアミド、少なくとも１個の酸素原子を含有する有機ケイ素化合物、炭素又は酸素原子を介して有機基に結合された窒素、リン、ヒ素又はアンチモンの化合物、Ｏ2 、ＣＯ、ＣＯ2 、ＣＯＳ、ＮＯ、Ｎ2Ｏ及びＮＯ2からなる群から選択される態様３２に記載の方法。
態様４６．少なくとも１種の変性剤がカルボン酸エステル、エーテル、アミン、アミド、ニトリル、少なくとも１個の酸素原子を含有する有機ケイ素化合物、Ｏ2 、ＣＯ、ＣＯ2及びＮ2Ｏからなる群から選択される態様４５に記載の方法。
態様４７．少なくとも１種の変性剤がテトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド、１，２−ジメトキシエタン、１，２−ジメトキシプロパン、１，３−ジメトキシプロパン、１，２−ジメトキシブタン、１，３−ジメトキシブタン、１，４−ジメトキシブタン及びテトラヒドロピランからなる群から選択されるエーテルである態様４６に記載の方法。
態様４８．少なくとも１種の変性剤がピリジン、４−メチルピリジン、Ｎ−メチルモルホリン及びＮ−メチルイミダゾールからなる群から選択されるアミンである態様４６に記載の方法。
態様４９．少なくとも１種の変性剤がシクロヘキシルメチルジメトキシシラン、オルトケイ酸テトラエチル及びジシクロペンチルジメトキシシランからなる群から選択される、少なくとも１個の酸素原子を含む有機ケイ素化合物である態様４６に記載の方法。
態様５０．少なくとも１種の変性剤がアセトニトリル、トリメチルアセトニトリル、ベンゾニトリル及びイソプロピオニトリルからなる群から選択されるニトリルである態様４６に記載の方法。
態様５１．少なくとも１種の変性剤がＮ，Ｎ−ジメチルホルムアミド、Ｎ，Ｎ−ジメチルアセトアミド及びＮ，Ｎ−ジイソプロピルホルムアミドからなる群から選択されるアミドである態様４６に記載の方法。
態様５２．少なくとも１種の変性剤がＯ2 、ＣＯ、ＣＯ2及びＮ2Ｏからなる群から選択される態様４６に記載の方法。
態様５３．少なくとも１種の変性剤がＮ2Ｏ である態様５２に記載の方法。
態様５４．少なくとも１種の変性剤が液体又は固体であり、これを約０．０１：１〜約１００：１の範囲内の、変性剤のチーグラー−ナッタ触媒の遷移金属成分に対するモル比で添加する態様３２に記載の方法。
態様５５．変性剤のチーグラー−ナッタ触媒の遷移金属成分に対するモル比が約０．１：１〜約５０：１の範囲内である態様５４に記載の方法。
態様５６．少なくとも１種の変性剤が気体状であり、これを約１体積ppm 〜約１０，０００体積ppm の範囲内の量で添加する態様３２に記載の方法。
態様５７．少なくとも１種の変性剤を約１体積ppm 〜約１０００体積ppm の範囲内の量で添加する態様５６に記載の方法。
態様５８．重合媒体が気相である態様３２に記載の方法。
態様５９．重合媒体がスラリー相である態様３２に記載の方法。
態様６０．少なくとも１種又は２種以上の他のオレフィンが炭素数３〜１６のオレフィンからなる群から選択される態様３２に記載の方法。
態様６１．少なくとも１種又は２種以上の他のオレフィンが１−オクテン、１−ヘキセン、４−メチルペント−１−エン、１−ペンテン、１−ブテン及びプロピレンからなる群から選択される態様６０に記載の方法。
態様６２．エチレン／オレフィン共重合体が共重合体の少なくとも約５０重量％の量のエチレンを含む、態様３２に記載の方法。
態様６３．態様１に記載の方法によって製造されるエチレン／オレフィン共重合体生成物。
態様６４．態様１に記載の方法により製造されるエチレン／オレフィン共重合体からの二次加工フィルム。
態様６５．態様１に記載の方法により製造されるエチレン／オレフィン共重合体からの二次加工物品。